【事件の表示】
　特許第３２７３０９４号「文書処理装置」の請求項１ないし３に係る特許に対する特許異議の申立てについて、次のとおり決定する。
【結　論】
　特許第３２７３０９４号の請求項１ないし３に係る特許を取り消す。
【理　由】
［１］手続の経緯
　本件特許第３２７３０９４号の特許請求の範囲の請求項１乃至請求項６に係る発明についての出願は、平成６年１月２９日に特許出願され、平成１４年１月２５日にその発明について特許権の設定登録がなされ、その後、特許請求の範囲の請求項１乃至請求項３に係る発明の特許について、犬束理香より特許異議の申立てがなされ、取消理由通知がなされ、その指定期間内である平成１５年３月１１日に特許異議意見書の提出がなされたものである。
　
［２］特許異議の申立てについての判断
　１．本件発明
　「【請求項１】文字や記号等のキャラクタ及び種々の指令を入力する為の入力手段と、入力手段から入力された複数の文字や記号からなる文書のデータを記憶するテキストメモリと、前記文書の任意の指定された部分に対して部分的印字フォーマットを設定してそのフォーマットデータをメモリに記憶させる為の部分的印字フォーマット設定手段と、ディスプレイを含む表示手段と、テキストメモリのデータを受けてそのデータ内容をディスプレイに表示する表示データを作成して表示手段に出力する表示データ作成手段とを備えた文書処理装置において、前記部分的印字フォーマット設定手段により、前記文書の１又は複数の部分に異なる複数の部分的印字フォーマットが重畳的に設定されたとき、その重畳的に設定された部分的印字フォーマットについては、前記メモリに記憶された部分的印字フォーマットのデータに基いて、最新の部分的印字フォーマットのみを有効化し、既存の部分的印字フォーマットが設定されている部分のうちの最新の部分的印字フォーマットが設定される部分と重畳する部分に設定されている部分的印字フォーマットを無効化するように部分的印字フォーマットのデータを書き換えるフォーマットデータ書換え手段を備えたことを特徴とする文書処理装置。
　【請求項２】前記メモリは、前記テキストメモリに組み込まれていることを特徴とする請求項１に記載の文書処理装置。
　【請求項３】　前記部分的印字フォーマットデータは、前記部分的印字フォーマットの、前記テキストメモリにおける開始位置と終了位置を夫々指定するデータを含むことを特徴とする請求項２に記載の文書処理装置。」（以下、それぞれ「本件発明１」乃至「本件発明３」という。）
　
　２．刊行物等
　当審が平成１４年１２月２４日付けで通知した取消理由に引用した刊行物である、刊行物１：ＳＥ編集部編「Windows版WORD５．０　最初に読む本」、初版、株式会社翔泳社、１９９３年９月３０日、ｐ．１４９〜１５３、及び刊行物２：特開平５−１７７９０１号公報には、それぞれ下記の事項が図示と共に記載されている。
　
　［刊行物１］
　ア）「レイアウトを整える場合は、少しでも多く画面表示されているほうが作業しやすいので、〈最大化〉ボタンをクリックして最大化しておきましょう。」（第１４９頁１１〜１３行）。
　イ）「文字書式には，フォント（書体），ポイント，文字飾り，文字間隔，色、文字の位置などがあります。WORD５．０で文字書式を設定するにはリボンを使います。」（第１４９頁１４〜１５行）。
　ウ）「WORD５．０の初期設定ではプリンタフォントの“明朝”に設定されています。ここでは，全部の文字をＴｒｕｅ　Ｔｙｐｅフォントに変更してみましょう。・・・１．フォントを変更する文字を選択します。この場合は全部変更するわけですから，［編集］メニューの［文書全体を選択］コマンドを選択します。２．リボンの〈フォント〉ボックスの右側にある矢印をクリックします。・・・ここでは，Ｔｒｕｅ　Ｔｙｐｅの“ＭＳ明朝”を選択します。３．画面上のフォントが変更されます。次に見出しなど，他の文字より強調させたい文字をゴシックに変更してみましょう。フォントは各文字ごとに設定することができます。この文書では“お客様各位”と“事務所移転のお知らせ”をゴシックに変えてみることにします。・・・１．“お客様各位”と“事務所移転のお知らせ”の部分を選択します。・・・２．リボンの〈フォント〉ボックスからＴｒｕｅ　Ｔｙｐｅの“ＭＳゴシック”を選択します。文字が変わります。」（第１５０頁１行〜第１５１頁９行）。
　エ）図４−１７には、選択された“お客様各位”と“事務所移転のお知らせ”の部分が「Ｔｒｕｅ　Ｔｙｐｅの“ＭＳゴシック”」に変更された文字である状態が記載されている。
　
　［刊行物２］
　ア）「本発明は印字装置に関し、特に文書の全体に対してグローバルな印字フォーマットを設定できる上、文書の一部に対してローカルな印字フォーマットを設定できるようにしたものに関する。」（段落【０００１】）。
　イ）「グローバルフォーマット（ＧＦＭ）とは、文書のデータを印字する際に用いる印字用のフォーマット（書式）であり、特に文書の全体に対して適用するので、この名称を用いる。ローカルフォーマット（ＬＦＭ）とは、文書データの一部に部分的に適用する印字用のフォーマットであり、特に文書中に格納するフォーマットなので、グローバルフォーマットに対してこの名称を用いる。」（段落【００１２】）。
　ウ）「ＲＡＭ４０のラインバッファ４１には、キーボード３から入力された複数の文字や記号のコードデータからなる文書データが一時的に格納される。テキストメモリ４２には、ラインバッファ４１からの文書データが格納される。ＧＦＭバッファ（この内容をＧＦＢとする）４３には、設定されたＧＦＭのデータが一時的に格納される。ＧＦＭデータメモリ４４には、ＧＦＭバッファ４３からのＧＦＭデータが複数格納される。印字ポインタ（この内容を印字ポインタ値ＰＰとする）４５には、印字するコードデータを読出す為にテキストメモリ４２の１つのアドレスが格納される。印字バッファ４６には、イメージ展開された文字や記号の印字データが格納される。」（段落【００１８】）。
　エ）「次に、ラインバッファ４１内の文書データにおいて、前記設定範囲の先頭位置に設定結果のＬＦＭデータが追加格納され（Ｓ５３）、更にこの設定範囲の先頭位置に開始コードが追加格納されるとともに、その範囲の末尾に終了コードが追加格納され（Ｓ５４）、このラインバッファ４１のデータに基いて文書がディスプレイ２２に表示され（Ｓ５５）、この制御を終了してリターンする。例えば、図１４に示す文字コード列において文字「ＤＥＦ」に対してＬＦＭを適用する範囲を設定し、所望のＬＦＭのフォーマット項目を設定したときには、図１６に示すように、設定範囲の先頭位置に開始コード（右三角で図示）ＳＣと２バイトのＬＦＭデータＬＤが追加格納され、更に設定範囲の末尾位置に終了コード（左三角で図示）ＥＣが追加格納される。そして、ディスプレイ２２には図１７に示すように、設定範囲の先頭位置に対応してＬＦＭの開始マークＳＭとその末尾位置に対応して終了マークＥＭとが夫々挿入表示される。」（段落【００２７】）。
　オ）図５には、テキストメモリのデータ構成を説明する説明図が記載されている。
　
　３．対比・判断
　まず、本件発明１について検討する。
　刊行物１に記載のWindows版WORD５．０は、ワードプロセッサー用ソフトウエアであり、文書処理装置において用いられることは自明である。
　そして、刊行物１からは、ワードプロセッサー用ソフトウエアの発明だけでなく、Windows版WORD５．０をインストールした文書処理装置の発明も把握される。
　また、上記文書処理装置が、文字や記号等のキャラクタ及び種々の指令を入力する為の入力手段と、入力手段から入力された複数の文字や記号からなる文書のデータを記憶するテキストメモリと、ディスプレイを含む表示手段とを備えることも自明である。
　そして、上記文書処理装置が、テキストメモリのデータを受けてそのデータ内容をディスプレイに表示する表示データを作成して表示手段に出力する表示データ作成手段を備えることも自明である。
　刊行物１の上記記載ウからみて、初期設定として「プリンタフォントの“明朝”」であった文書全体の既存のフォーマットに対して、一例として、「
ここでは，
　してみると、上記文書処理装置が、前記文書の任意の指定された部分に対して部分的印字フォーマットを設定してそのフォーマットデータをメモリに記憶させる為の部分的印字フォーマット設定手段を備えることも自明である。
　
　従って、刊行物１の上記記載ア〜ウを含む明細書及び図面によると、刊行物１には、下記の発明が記載されている。
　「文字や記号等のキャラクタ及び種々の指令を入力する為の入力手段と、入力手段から入力された複数の文字や記号からなる文書のデータを記憶するテキストメモリと、前記文書の任意の指定された部分に対して部分的印字フォーマットを設定してそのフォーマットデータをメモリに記憶させる為の部分的印字フォーマット設定手段と、ディスプレイを含む表示手段と、テキストメモリのデータを受けてそのデータ内容をディスプレイに表示する表示データを作成して表示手段に出力する表示データ作成手段とを備えた文書処理装置において、初期設定として「プリンタフォントの“明朝”」であった文書全体の既存のフォーマットに対して、前記文書の中の任意の指定された部分を「Ｔｒｕｅ　Ｔｙｐｅの“ＭＳ明朝”」に変更し、更に重畳的に他の文字より強調させたい文字を「Ｔｒｕｅ　Ｔｙｐｅの“ＭＳゴシック”」に変更することが可能である文書処理装置。」（以下、「刊行物１発明」という。）
　
　そこで、本件発明１と刊行物１発明とを対比する。
　印字フォーマット設定を複数回繰り返す際に、全体設定と部分設定だけでなく、部分設定の繰り返しもあり、刊行物１においては重畳的に設定されたとき、先の印字フォーマット設定が無効化され、最新の印字フォーマット設定が有効化されることについては何れの場合も同様である。
　そうすると、刊行物１発明において、文書の中の任意の指定された部分を「Ｔｒｕｅ　Ｔｙｐｅの“ＭＳ明朝”」に変更し、更に重畳的に他の文字より強調させたい文字を「Ｔｒｕｅ　Ｔｙｐｅの“ＭＳゴシック”」に変更することは、本件発明１の「前記部分的印字フォーマット設定手段により、前記文書の１又は複数の部分に異なる複数の部分的印字フォーマットが重畳的に設定されたとき、」に相当する。
　そして、刊行物１発明において、「Ｔｒｕｅ　Ｔｙｐｅの“ＭＳゴシック”」に変更された部分については、「Ｔｒｕｅ　Ｔｙｐｅの“ＭＳ明朝”」は無効化されているから、刊行物１発明が、本件発明１の「前記文書の１又は複数の部分に異なる複数の部分的印字フォーマットが重畳的に設定されたとき、その重畳的に設定された部分的印字フォーマットについては、最新の部分的印字フォーマットのみを有効化し、既存の部分的印字フォーマットが設定されている部分のうちの最新の部分的印字フォーマットが設定される部分と重畳する部分に設定されている部分的印字フォーマットを無効化するように部分的印字フォーマットのデータを書き換えるフォーマットデータ書換え手段」を備えていることは自明である。
　
　そうすると、刊行物１発明は本件発明１の全ての構成要件を備え、両者に相違はない。
　従って、本件発明１は刊行物１に記載された発明と同一であり、特許法第２９条第１項第３号に規定する発明に該当するので、特許を受けることができない。
　
　次に、本件発明２について検討する。
　刊行物２の上記記載ア〜エからみて、刊行物２において、ＬＦＭの設定データは、キーボード３から入力された複数の文字や記号のコードデータからなる文書データが一時的に格納されるラインバッファ４１内の文書データに追加格納され、ラインバッファ４１からのこの文書データがテキストメモリ４２に格納されると解される。
　そして、ラインバッファを介することなく、本件発明２の如く、部分的印字フォーマットデータを記憶するメモリを、入力手段から入力された複数の文字や記号からなる文書のデータを記憶するテキストメモリに組み込む様にすることは、当業者が容易に想到し得ることである。
　したがって、本件発明２は、刊行物１及び刊行物２記載の発明に基づいて当業者が容易に発明をすることができたものである。
　
　次に、本件発明３について検討する。
　刊行物２の上記記載エには、「図１４に示す文字コード列において文字「ＤＥＦ」に対してＬＦＭを適用する範囲を設定し、所望のＬＦＭのフォーマット項目を設定したときには、図１６に示すように、設定範囲の先頭位置に開始コード（右三角で図示）ＳＣと２バイトのＬＦＭデータＬＤが追加格納され、更に設定範囲の末尾位置に終了コード（左三角で図示）ＥＣが追加格納される。」と記載されており、図５にはそのようなテキストメモリの構成が記載されていることから、本件発明３は、本件発明２と同様にして、刊行物１及び刊行物２記載の発明に基づいて当業者が容易に発明をすることができたものである。
　
　４．むすび
　以上のとおりであるから、本件発明１は刊行物１に記載された発明と同一であり、特許法第２９条第１項第３号に規定する発明に該当するので、特許を受けることができない。
　また、本件発明２及び本件発明３は、刊行物１及び刊行物２に記載された発明に基づいて当業者が容易に発明をすることができたものであるから、特許法第２９条第２項の規定により特許を受けることができない。
　したがって、本件発明１乃至本件発明３についての特許は拒絶の査定をしなければならない特許出願に対してなされたものと認める。
　よって、特許法等の一部を改正する法律（平成６年法律第１１６号）附則第１４条の規定に基づく、特許法等の一部を改正する法律の施行に伴う経過措置を定める政令（平成７年政令第２０５号）第４条第２項の規定により、結論のとおり決定する。
【異議決定日】
平成１６年４月１５日（２００４．４．１５）